(57)【要約】  水平同期信号の周波数が変わった場合に生じる映像の乱れ（ノイズの有無を原因として現れる境目の筋）を抑制するために、画像信号処理装置（５０）は、画像信号の有る表示区間と画像信号の無い非表示区間とを含むアナログ信号を入力して画像処理をして出力する画像信号処理装置であって、非表示区間に疑似画像信号を重畳する疑似画像信号重畳手段（画像処理部（１５），メモリ（１７）、制御部（１９）および表示制御部（２１））を有する。【特許請求の範囲】
【請求項１】
表示対象とされる画像信号の有る表示区間と前記画像信号以外の表示対象とされない信号の有る非表示区間とを含むアナログ信号を入力して画像処理をして出力する画像信号処理装置であって、
前記非表示区間に疑似画像信号を重畳する疑似画像信号重畳手段を有する
ことを特徴とする画像信号処理装置。
【請求項２】
前記疑似画像信号重畳手段は、
前記非表示区間であるか否かを判定する判定手段と、
前記疑似画像信号を生成して前記非表示区間と判定された区間に前記疑似画像信号を重畳する疑似画像信号生成手段とを有する
ことを特徴とする請求項１に記載の画像信号処理装置。
【請求項３】
前記疑似画像信号生成手段は、前記非表示区間に隣接する前記画像信号に基づいて前記疑似画像信号を生成する
ことを特徴とする請求項２に記載の画像信号処理装置。
【請求項４】
前記疑似画像信号生成手段は、前記画像信号を一時的に記憶する記憶手段を有し、前記記憶手段に記憶された前記非表示区間の前後の前記画像信号に基づき、前記非表示区間の前後の前記画像信号と同じような大きさで且つ同じような変化をする前記疑似画像信号を生成する
ことを特徴とする請求項３に記載の画像信号処理装置。
【請求項５】
前記疑似画像信号生成手段は、前記画像信号を一時的に記憶する記憶手段を有し、前記記憶手段に記憶された前記非表示区間の前後の前記画像信号に基づき、前記非表示区間の前後の前記画像信号からなだらかな変化をする前記疑似画像信号を生成する
ことを特徴とする請求項３に記載の画像信号処理装置。
【請求項６】
表示対象とされる画像信号の有る表示区間と前記画像信号以外の表示対象とされない信号の有る非表示区間とを含むアナログ信号を出力する画像出力装置と、
前記アナログ信号を入力して画像処理をして出力する画像信号処理装置と、
前記画像信号処理装置の出力する信号を入力して画面に表示する表示装置とを含む画像システムであって、
前記画像信号処理装置は、前記アナログ信号の前記非表示区間に疑似画像信号を重畳する疑似画像信号重畳手段を有する
ことを特徴とする画像システム。
【請求項７】
前記疑似画像信号重畳手段は、
前記非表示区間であるか否かを判定する判定手段と、
前記疑似画像信号を生成して前記非表示区間と判定された区間に前記疑似画像信号を重畳する疑似画像信号生成手段とを有する
ことを特徴とする請求項６に記載の画像システム。
【請求項８】
前記疑似画像信号生成手段は、前記非表示区間に隣接する前記画像信号に基づいて前記疑似画像信号を生成する
ことを特徴とする請求項７に記載の画像システム。
【請求項９】
前記疑似画像信号生成手段は、前記画像信号を一時的に記憶する記憶手段を有し、前記記憶手段に記憶された前記非表示区間の前後の前記画像信号に基づき、前記非表示区間の前後の前記画像信号と同じような大きさで且つ同じような変化をする前記疑似画像信号を生成する
ことを特徴とする請求項８に記載の画像システム。
【請求項１０】
前記疑似画像信号生成手段は、前記画像信号を一時的に記憶する記憶手段を有し、前記記憶手段に記憶された前記非表示区間の前後の前記画像信号に基づき、前記非表示区間の前後の前記画像信号からなだらかな変化をする前記疑似画像信号を生成する
ことを特徴とする請求項８に記載の画像システム。
【請求項１１】
表示対象とされる画像信号の有る表示区間と表示対象とされない前記画像信号以外の信号のある非表示区間とを含むアナログ入力信号を入力して、画像処理をした後、これを出力する画像信号処理方法であって、
前記非表示区間に疑似画像信号を重畳する疑似画像信号重畳工程を有する
ことを特徴とする画像信号処理方法。
【請求項１２】
前記疑似画像信号重畳工程は、
前記非表示区間であるか否かを判定する判定工程と、
前記判定工程が前記非表示区間と判定した際に、前記疑似画像信号を生成して前記非表示区間に重畳する疑似画像信号生成工程とを有する
ことを特徴とする請求項１１に記載の画像信号処理方法。
【請求項１３】
前記疑似画像信号生成工程においては、予め記憶しておいた前記非表示区間の前後の前記画像信号に基づいて、前記非表示区間の前後の前記画像信号と同じような大きさで且つ同じような変化をする前記疑似画像信号を生成する
ことを特徴とする請求項１２に記載の画像信号処理方法。
【請求項１４】
前記疑似画像信号生成工程においては、予め記憶しておいた前記非表示区間の前後の前記画像信号に基づいて、前記非表示区間の前後の前記画像信号がなだらかな変化をする前記疑似画像信号を生成する
ことを特徴とする請求項１２に記載の画像信号処理方法。
【発明の詳細な説明】
【技術分野】
【０００１】
本発明は、画像データを画像処理する画像信号処理装置に関し、特にこの画像処理した画像データが画面に表示される際に、ノイズを原因とする画像の乱れを抑制することができる画像信号処理装置、この画像信号処理装置を含む画像システム、およびこの画像信号処理装置の画像信号処理方法に関するものである。
【背景技術】
【０００２】
従来、例えば画像出力装置の出力するＱＶＧＡ（Quarter Video Graphics Array）画像フォーマットの画像データを、画像処理してＶＧＡ（Video Graphics Array）表示装置の液晶ディスプレイに表示させるというようなデータ変換処理技術がある。【０００３】
このような異なる解像度の画像データ間でのデータ変換処理に関しては、上述のようにＱＶＧＡの画像フォーマットをＱＶＧＡ以上の例えばＶＧＡ等の拡大した画像フォーマットに変換する画像処理が行われることもある。このような解像度の異なる画像フォーマット間での画像処理は、同期周波数を変えてさらに補間処理等を行うことにより実現する（例えば、特許文献１参照）。【０００４】
【特許文献１】特開２００４−１４０６１３号公報
【発明の開示】
【発明が解決しようとする課題】
【０００５】
しかしながら、例えば上述のような周波数変換が行われた場合、以下のような問題が発生する。図１は従来の画像システムにおいて入力アナログ信号にノイズがのる様子を説明する模式図である。図１において、画像システム６０は、ＱＶＧＡのアナログ信号の画像データを出力する画像出力装置１１と、画像出力装置１１の出力するアナログ信号を入力してＶＧＡに画像処理をする画像信号処理装置４０と、画像信号処理装置４０が画像処理した画像データ信号を入力して、これを画面に画像として映し出す表示装置２３とを有している。画像出力装置１１は、例えばＱＶＧＡのアナログ信号の画像データを出力するテレビチューナである。表示装置２３は、例えばＶＧＡの画面を有する液晶ディスプレイである。【０００６】
図２は図１に示す画像システムの各装置が入出力する信号をタイミングを合わせて記載した図である。各信号にふられた番号は、図１中に記入された番号に対応している。図１および図２において、画像出力装置１１の出力する画像のアナログ信号（１）は、表示対象とされる画像信号の有る表示区間Ｄと、水平同期信号等の画像信号以外の表示対象とされない信号の有る非表示区間Ｓとを含む断続的なアナログ信号である。【０００７】
このアナログ信号（１）を入力した画像信号処理装置４０は、これを周波数変換してアナログ信号（２）を出力する。ＱＶＧＡの周波数が約１５ｋＨｚであるのに対して、ＶＧＡの周波数は約３２ｋＨｚであり、周波数が約２倍の速さに変換されている。このアナログ信号（２）は、表示装置２３に入力され液晶ディスプレイ等に映し出される。ここで、表示装置２３は、アナログ信号（２）を画像に変換する際、輻射ノイズ（３）を発生する。この輻射ノイズは、例えば、画像信号処理装置４０の図示しない画像変換処理ＩＣと表示装置２３の図示しない液晶画面表示回路との間で発生する。【０００８】
この輻射ノイズの発生するタイミングとしては、画像信号があるときにのみ発生するので図２の（３）に示すような区間で発生する。そして、この輻射ノイズ（３）は、図示しない基板および回路間の空間を伝搬してアナログ回路内に侵入し、例えば、画像信号処理装置４０の入力するアナログ信号（２）に飛びつく。この様子を図２の（４）に示す。画像信号処理装置４０は、この輻射ノイズがのったアナログ信号（４）を画像変換して出力するので、その信号は図２の（５）に示したようなアナログ信号となる。【０００９】
そして、この信号を入力した表示装置２３の映し出す画像は、断続的な輻射ノイズの影響により、ノイズがのっている部分とノイズがのっていない部分との境界が目立ち、結果としてノイズがのっていない部分が画面に縦方向の帯状の縞となって現れる。また、表示装置２３の入力するアナログ信号には、上述の水平同期信号を含む非表示区間に加えて、垂直同期信号を含む非表示区間も存在するので同様の原因により、画面に横方向の縞も現れる。そして、この縦縞、横縞は、視聴者に不快感を与えるので改善が望まれていた。【００１０】
従来、このノイズを解消する方法として、ノイズを発生する表示装置２３の液晶画面表示回路と画像信号処理装置４０のアナログ回路との間に、例えば両者を隔てる物理的なシールドを設ける方法が提案されている。しかしながら、この物理的なシールドを設ける方法は、小型化、低コスト化に逆行するものであった。【００１１】
一方、基板に形成された回路パターンおよび部品配置を種々に変更して、ノイズののらない配置を模索することも可能である。しかしながら、この方法は、設計や設計変更において容易でなく、さらに確実性がないので、実際の製品の製造工程には向いていない。また、このノイズによる縞を画面に映らない場所に隠すことも検討されるが、画像変換においては周波数を任意に変換することが考えられるので、ノイズの発生する区間を特定することは技術的に難しいものであった。【００１２】
本発明は、上記に鑑みてなされたものであって、表示対象とされる画像信号の有る表示区間と水平同期信号等を含む画像信号以外の表示対象とされない信号の有る非表示区間とを含むアナログ信号を表示する際に、画像フォーマットの変化に応じて水平同期信号の周波数が変わった場合等に生じる映像の乱れを抑制することができる画像信号処理装置、画像システムおよび画像信号処理方法を得ることを目的とする。
【課題を解決するための手段】
【００１３】
上述した課題を解決し、目的を達成するために、この発明の請求項１の画像信号処理装置は、表示対象とされる画像信号の有る表示区間と画像信号以外の表示対象とされない信号の有る非表示区間とを含むアナログ信号を入力して画像処理をして出力する画像信号処理装置であって、非表示区間に疑似画像信号を重畳する疑似画像信号重畳手段を有することを特徴とする。【００１４】
この発明の請求項６の画像システムは、表示対象とされる画像信号の有る表示区間と画像信号以外の表示対象とされない信号の有る非表示区間とを含むアナログ信号を出力する画像出力装置と、アナログ信号を入力して画像処理をして出力する画像信号処理装置と、画像信号処理装置の出力する信号を入力して画面に表示する表示装置とを含む画像システムであって、画像信号処理装置は、アナログ信号の非表示区間に疑似画像信号を重畳する疑似画像信号重畳手段を有することを特徴とする。【００１５】
この発明の請求項１１の画像信号処理方法は、表示対象とされる画像信号の有る表示区間と表示対象とされない画像信号以外の信号のある非表示区間とを含むアナログ入力信号を入力して、画像処理をした後、これを出力する画像信号処理方法であって、非表示区間に疑似画像信号を重畳する疑似画像信号重畳工程を有することを特徴とする。
【図面の簡単な説明】
【００１６】
【図１】図１は、従来の画像システムにおいて入力アナログ信号にノイズがのる様子を説明する模式図である。
【図２】図２は、図１に示す画像システムの各装置が入出力する信号をタイミングを合わせて記載した図である。
【図３】図３は、本発明にかかる画像システムの実施例１を示す模式図である。
【図４】図４は、本発明にかかる画像システムの実施例１の画像信号処理装置の画像処理および疑似画像信号の作成の動作を示すフローチャートである。
【図５】図５は、本発明にかかる画像システムの実施例１の画像信号処理装置の表示制御部の行うノイズの境目を目立たないようにする疑似画像信号の生成の一例を説明するための説明図である。
【図６】図６は、本発明にかかる画像システムの実施例１の画像信号処理装置の表示制御部の行うノイズの境目を目立たないようにする疑似画像信号の生成の他の例を説明するための説明図である。
【図７】図７は、本発明にかかる画像システムの各装置が入出力する信号をタイミングを合わせて記載した図である。
【図８】図８は、本発明にかかる画像システムの実施例２を説明するための図であり、画像信号処理装置の入力信号と出力信号を従来のものと比較して示した図である。
【図９】図９は、本発明にかかる画像システムの実施例３を説明するための図であり、画像信号処理装置の入力信号と出力信号を従来のものと比較して示した図である。
【図１０】図１０は、本発明にかかる画像システムの実施例４を説明するための図であり、画像信号処理装置の入力信号と出力信号を従来のものと比較して示した図である。
【符号の説明】
【００１７】
１１  画像出力装置
１３  画像前処理部
１５  画像処理部（疑似画像信号重畳手段）
１５ａ  サンプリング部
１５ｂ  ＩＰ変換部
１７  メモリ（疑似画像信号重畳手段）
１９  制御部（疑似画像信号重畳手段）
１９ａ  判定部（判定手段）
２１  表示制御部（疑似画像信号生成手段／疑似画像信号重畳手段）
２３  表示装置
５０  画像信号処理装置
７０  画像システム
【発明を実施するための最良の形態】
【００１８】
以下に、本発明にかかる画像信号処理装置、画像システムおよび画像信号処理方法の実施の形態を詳細に説明する。なお、この実施の形態によりこの発明が限定されるものではない。以下では、本発明の画像信号処理装置、画像システムおよび画像信号処理方法の概略と特徴を実施の形態として説明し、その後に画像信号処理装置、画像システムおよび画像信号処理方法に関する実施例を説明する。【００１９】
［実施の形態１］
実施の形態１の画像信号処理装置は、所定の画像フォーマットのアナログ信号を入力して、周波数変換等を含む種々の画像処理をした後、これを表示装置に向けて出力する。このアナログ信号には、表示対象とされる画像信号の有る表示区間と、水平同期信号等を含む画像信号以外の表示対象とされない信号の有る非表示区間とがある。そして、本実施の形態の画像信号処理装置は、非表示区間に疑似画像信号を重畳する疑似画像信号重畳手段を有している。【００２０】
つまり、本実施の形態の画像信号処理装置は、ノイズを削減しようとするものではなく、非表示区間に疑似画像信号を重畳することにより、画像信号の無い非表示区間においても、画像信号の有る表示区間と同じようにノイズを発生するようにするものである。この構成により、表示区間で発生するノイズと非表示区間で発生するノイズとの差が小さくなり、境目の縞がなく不快感のない画像とすることができる。【００２１】
さらに、疑似画像信号重畳手段は、非表示区間であるか否かを判定する判定手段と、疑似画像信号を生成して非表示区間と判定された区間に疑似画像信号を重畳する疑似画像信号生成手段とを有している。この構成により、非表示区間が任意の場所に存在しても容易に且つ間違いなく非表示区間に疑似画像信号を重畳することができ、信頼性の高い画像信号処理装置とすることができる。【００２２】
［実施の形態２］
画像は種々の場面を写し出す。例えば、真白な紙の表面を写す場面もあれば、雑多な町中の風景を写す場面もあれる。そのため、非表示区間に常に一様の疑似画像信号を重畳させていたのでは、境目を効果的に無くせない場合もある。結果として逆に目立たせてしまうこととなる場合がある。本実施の形態は、このような場合を考慮してなされたものである。【００２３】
本実施の形態の画像信号処理装置においては、疑似画像信号生成手段は、非表示区間に隣接する画像信号に基づいて疑似画像信号を生成する。この構成により、疑似画像信号が隣接する画像信号を考慮して生成されるので、非表示区間の画像信号が発生させるノイズと、非表示区間に重畳された疑似画像信号の区間が発生させるノイズの差が小さくなり、さらに境目が目立たなく不快感のない画像とすることができる。【００２４】
［実施の形態３］
実施の形態３の画像信号処理装置は、実施の形態２のものより、さらに境目を無くそうというものである。本実施の形態の画像信号処理装置においては、疑似画像信号生成手段は、画像信号を一時的に記憶する記憶手段を有し、この記憶手段に記憶された非表示区間の前後の画像信号に基づき、非表示区間の前後の画像信号と同じような大きさで且つ同じような変化をする疑似画像信号を生成する。この構成により、さらにノイズの差を小さくすることができ、さらに境目が目立たない画像とすることができる。【００２５】
［実施の形態４］
実施の形態４の画像信号処理装置も、実施の形態３の画像信号処理装置と同様に、実施の形態２のものより、さらに境目を無くそうというものである。本実施の形態の画像信号処理装置においては、疑似画像信号生成手段は、画像信号を一時的に記憶する記憶手段を有し、記憶手段に記憶された非表示区間の前後の画像信号に基づき、非表示区間の前後の画像信号からなだらかな変化をする疑似画像信号を生成する。ここで、「なだらかな変化をする信号」とは、非表示区間の前後の画像信号に対して急激に変化することのない信号のことを表現している。このような疑似画像信号を生成することにより、さらに境目を目立たなくすることができる。【００２６】
［実施の形態５］
この発明にかかる実施の形態５の画像システムは、画像信号の有る表示区間と画像信号の無い非表示区間とを含むアナログ信号を出力する画像出力装置と、このアナログ信号を入力して画像処理をして出力する画像信号処理装置と、画像信号処理装置の出力する信号を入力して画面に表示する表示装置とを含む画像システムである。そして、画像信号処理装置は、アナログ信号の非表示区間に疑似画像信号を重畳する疑似画像信号重畳手段を有している。この構成により、表示装置の発生する表示区間のノイズと非表示区間のノイズの大きさの差を小さくすることができる。これにより、表示装置の表示する画像を境目の縞がない不快感のない画像とすることができる。【００２７】
［実施の形態６］
この発明にかかる実施の形態６の画像信号処理方法は、表示対象とされる画像信号の有る表示区間と表示対象とされない画像信号以外の信号のある非表示区間とを含むアナログ入力信号を入力して、画像処理をした後、これを出力する画像信号処理方法であって、非表示区間に疑似画像信号を重畳する疑似画像信号重畳工程を有する。そのため、この方法により画像処理された画像データを入力して画像として映し出す表示装置において、表示装置の発生する表示区間のノイズと非表示区間のノイズの大きさの差を小さくすることができる。これにより、表示装置の表示する画像を境目の縞がない不快感のない画像とすることができる。
【実施例１】
【００２８】
図３は本発明にかかる画像システムの実施例１を示す模式図である。図３において、画像システム７０は、アナログ信号の画像データを出力する画像出力装置１１と、画像出力装置１１の出力するアナログ信号を入力して画像処理をする画像信号処理装置５０と、画像信号処理装置５０が画像処理した画像データを入力して、これを画面に画像として映し出す表示装置２３とを有している。【００２９】
画像信号処理装置５０は、画像前処理部１３と画像処理部１５とメモリ１７と制御部（ＣＰＵ）１９と表示制御部２１とを有している。【００３０】
画像前処理部１３は、入力したアナログ信号をサンプリングに適した画像信号に変換する。この画像前処理部１３は、ローパスフィルター、同期分離器、コンポジット、コンポーネント、ＲＧＢ信号変換器を含む場合もある。【００３１】
画像処理部１５は、ＩＰ変換、画質変換および２画面表示変換等の異なる画像信号フォーマット間での画像処理を行う。この画像処理は、同期周波数の変更や補完処理等も含む。画像処理部１５は、サンプリング部１５ａとＩＰ変換部１５ｂを有している。サンプリング部１５ａは、入力したアナログ信号をメモリ１７に記憶する。ＩＰ変換部１５ｂは、ＱＶＧＡ等の入力データをＶＧＡ等に解像度および周波数変換を行う。ＩＰ変換部１５ｂは、この他に色の調整や画質の調整、２画面機能などの処理を行う場合もある。【００３２】
メモリ１７は、画像処理を行う際に画像データを一時的に記憶する。また、疑似画像信号の作成に必要なデータを蓄える。【００３３】
制御部１９は、各機能部間の制御をするとともに疑似画像信号の作成を行う。さらにまた、制御部１９は、判定部１９ａを有している。判定部１９ａは、疑似画像信号を作成する際に非表示区間の検出を行う。【００３４】
このような構成の画像システム７０において、輻射ノイズ（３）は、例えば、アナログ信号（２）が、表示制御部２１から表示装置２３に至る信号線にて伝送されるとき発生する。また、輻射ノイズ（３）は、表示装置２３が、アナログ信号（２）を画像に変換する際にも発生する。そして、このようにして発生した輻射ノイズ（３）は、図示しない基板および回路間の空間を伝搬してアナログ回路内に侵入し、例えば、画像信号処理装置５０の入力するアナログ信号（１）に飛びつく。また他にも、画像出力装置１１に信号が入力されるまでの経路に飛びつく。【００３５】
図４は画像信号処理装置の画像処理および疑似画像信号の作成の動作を示すフローチャートである。図４において、まず、画像前処理部１３がサンプリングに適した画像信号に変換したアナログ信号を、サンプリング部１５ａがメモリ１７に記憶する（ステップＳ１）。次に、画像処理部１５は、メモリ１７に記憶したデータに対して、ＩＰ変換部１５ｂ等により、ＩＰ変換、画質、２画面表示等の画像処理を行う（ステップＳ２）。【００３６】
画像処理の終了後、制御部１９は、メモリ１７からデータを読み込みながら、判定部１９ａを介して、読み込んだデータが非表示区間のものであるか否かの判定をする（ステップＳ３）。そして、読み込んだデータが非表示区間のものである場合、表示制御部２１は、メモリ１７から非表示区間の前後の画像データを取得し（ステップＳ４）、この非表示区間の前後の画像信号データに基づいて、非表示区間を埋めて非表示区間と画像データとの境を目立たないようにする疑似画像信号を生成する（ステップＳ５）。そして、その疑似画像データを表示装置２３に向けてデータを出力する（ステップＳ６）。【００３７】
一方、ステップＳ３にて、非表示区間でないと判定したときには、表示区間であると判断して、メモリ１７から画像データを取得し（ステップＳ７）、ステップＳ６に移行して、この画像データを表示装置２３に向けて出力する。【００３８】
ここで、ステップＳ３からステップＳ４までの動作に係わる画像処理部１５、メモリ１７、制御部１９および表示制御部２１は、非表示区間に疑似画像信号を重畳する疑似画像信号重畳手段を構成している。また、この疑似画像信号重畳手段のなかでも、ステップＳ３の非表示区間であるか否かの判定をする判定部１９ａは、判定手段を構成している。さらに、ステップＳ４とステップＳ５において、疑似画像信号の生成を行う表示制御部２１は、疑似画像信号生成手段を構成している。【００３９】
また、ステップＳ３からステップＳ４において行われる、非表示区間に疑似画像信号を重畳する動作は、疑似画像信号重畳工程を構成している。そして、この疑似画像信号重畳工程の中でも、ステップＳ３の非表示区間であるか否かを判定するする動作は、判定工程を構成している。また、ステップＳ４とステップＳ５の疑似画像信号を生成して非表示区間に重畳する動作は、疑似画像信号生成工程を構成している。【００４０】
図５は表示制御部２１の行うノイズの境目を目立たないようにする疑似画像信号の生成の一例を説明するための説明図である。疑似画像信号は、以下のようにして生成される。すなわち、画像処理が完了したアナログ信号（１）’に対して、非表示区間Ｓを、所定の間隔で例えば第１から第５の５つの区間に分ける。また、非表示区間Ｓの後方に隣接する表示区間Ｄの先頭の一部分を、非表示区間Ｓ側から同じ間隔で図中１，２，３，４として区分する。一方、非表示区間Ｓの前方に隣接する表示区間Ｄの末尾の一部分を、非表示区間Ｓ側から同じ間隔で図中ａ，ｂ，ｃ，ｄとして区分する。【００４１】
そして、非表示区間Ｓに重畳する疑似画像信号として、第１の区間には、区間１のデータに基づくデータ１’を生成する。第２の区間には、区間ｄのデータと区間２のデータの平均に基づくデータ（（ｄ＋２）／２）’を生成し、第３の区間には、区間ｃのデータと区間３のデータの平均に基づくデータ（（ｃ＋３）／２）’を生成する。第４の区間には、区間ｂのデータと区間４のデータの平均に基づく（（ｂ＋４）／２）’を生成する。第５の区間には、区間ａのデータに基づいてデータａ’を生成する。そして、さらにこれらのデータに相関係数、間隔の係数（線形、非線形）の係数を適宜乗算して使用する。【００４２】
図６は表示制御部２１の行うノイズの境目を目立たないようにする疑似画像信号の生成の他の例を説明するための説明図である。この例では、非表示区間Ｓに重畳する疑似画像信号として、第１の区間には、区間１のデータに基づくデータ１’を生成する。第２の区間には、区間ｄのデータと区間２のデータとを２割と８割にて加算したものに基づくデータ（ｄ×０．２＋２×０．８）’を生成し、第３の区間には、区間ｃのデータと区間３のデータとを５割と５割にて加算したものに基づくデータ（ｃ×０．５＋３×０．５）’を生成する。第４の区間には、区間ｂのデータと区間４のデータとを８割と２割にて加算したものに基づくデータ（ｂ×０．８＋４×０．２）’を生成する。第５の区間には、区間ａのデータに基づいてデータａ’を生成する。そして、さらにこれらのデータに相関係数、間隔の係数（線形、非線形）の係数を適宜乗算して使用する。【００４３】
このように前後のデータを合成して疑似画像信号の作成をすることにより、非表示区間Ｓの前後の画像信号と同じような大きさで且つ同じような変化をする疑似画像信号を生成することができる。これにより、ノイズの差を小さくすることができ、さらに境目が目立たない画像とすることができる。【００４４】
なお、疑似画像信号の作成方法は、上述した方法に限らず、非表示区間の前後の画像信号に基づいて、非表示区間Ｓの後方に隣接する画像データの先端と前方に隣接する画像データの後端とをなだらかに結ぶような疑似画像信号を生成してもよい。この場合においても、擬似画像信号を生成する際のデータに相関係数、間隔の係数（線形、非線形）の係数を適宜乗算して使用する。【００４５】
図７は本実施例の画像システムの各装置が入出力する信号をタイミングを合わせて記載した図である。各信号にふられた番号は、図３中に記入された番号に対応している。図３において、画像出力装置１１の出力する画像のアナログ信号（１）は、従来と同じように、表示対象とされる画像信号の有る表示区間Ｄと、水平同期信号等を含む表示対象とされない画像信号以外の信号のある非表示区間Ｓとから構成された断続的なアナログ信号である。非表示区間Ｓは、具体的には、水平同期信号とその前後のバックポーチからフロントポーチまでの部分を含む。【００４６】
このアナログ信号（１）を入力した画像信号処理装置５０は、これを周波数変換してアナログ信号（２）を出力する。このとき、本実施例の画像信号処理装置５０が出力するアナログ信号（２）は、非表示区間に疑似画像信号が重畳されている。そのため、表示装置２３の発生する輻射ノイズは、（３）に示すような一様なタイミングのものとなる。そして、この輻射ノイズ（３）は、画像信号処理装置５０の入力するアナログ信号（２）に飛びつく。しかしながら、本実施例の輻射ノイズ（３）は（４）に示すように一様に連続したものである。そのため、この輻射ノイズがのってしまった出力信号は、図７の（５）に示したような一様にノイズがのった信号となる。これにより、この信号を入力した表示装置２３の映し出す画面は、非表示区間の影響によって筋が発生することがなく、視聴者に与える不快感を軽減させられる。【００４７】
なお、本実施例の画像出力装置１１はテレビチューナであるが、これに限らず、画像出力装置は、例えばナビゲーションシステムの本体等でもよい。
【実施例２】
【００４８】
図８は本発明にかかる画像システムの実施例２を説明するための図であり、画像信号処理装置の入力信号と出力信号を従来のものと比較して示した図である。図８において、下段に示された入力信号と出力信号は、本実施例のものである。上段に示された入力信号と出力信号は、比較して示す従来のものである。なお、この図８を見てもわかるように、水平同期部分以外に垂直同期部分にも擬似画像信号を重畳している。【００４９】
本実施例の画像信号処理装置においては、画像データをデジタル信号にして出力する。デジタル信号であっても非表示区間は、疑似画像信号「Ｘ」にて埋められている。そのため、表示装置の映し出す画像は、一様にノイズの影響を受け境目が筋となって現れることはない。これに対して、従来のものは非表示区間の画像データが「０」として出力される。そのため、これを入力して画面に表示する表示装置は、断続的なノイズを発生させる。そして、このノイズが画像信号処理装置の入力信号にのるので、表示装置の映し出す画像には、非表示区間を原因とする筋が現れる。
【実施例３】
【００５０】
図９は本発明にかかる画像システムの実施例３を説明するための図であり、画像信号処理装置の入力信号と出力信号を従来のものと比較して示した図である。図９において、下段に示された入力信号と出力信号は、本実施例のものである。上段に示された入力信号と出力信号は、比較して示した従来のものである。【００５１】
本実施例においては、画像信号処理装置の行う画像処理が周波数変換をともなっていない。つまり、入力信号と出力信号とで同じ周波数である。しかしながら、位相がずれている。例えば、メモリを使って画像処理を行うとこのような現象が発生することがある。このような場合にも、表示装置が画像データを表示する際に発生するノイズにより画像に筋が入る。これに対しても本願の疑似画像信号が有効であり、画像の筋を目立たないものとすることができる。
【実施例４】
【００５２】
図１０は本発明にかかる画像システムの実施例４を説明するための図であり、画像信号処理装置の入力信号と出力信号を従来のものと比較して示した図である。図１０において、下段に示された入力信号と出力信号は、本実施例のものである。上段に示された入力信号と出力信号は、比較して示した従来のものである。【００５３】
実施例３のものがアナログの出力信号において位相がずれていたが、本実施例においては、デジタルの出力信号において位相がずれている。実施例２および実施例３と同じ理由で、このような場合に対しても本願の疑似画像信号が有効であり、画像の筋を目立たないものとすることができる。
【産業上の利用可能性】
【００５４】
以上のように、本発明にかかる画像信号処理装置、画像システムおよび画像信号処理方法は、周波数変換を含む画像フォーマット変換の画像処理をする画像信号処理装置に有用であり、特に、画像データを表示する際、ノイズを発生する表示装置に向けて、この画像処理した画像データを出力する画像信号処理装置に適している。例えば、テレビチューナを含む一般的な映像ソース機器及びそのシステムやナビゲーションシステムの本体から出力されるアナログの画像データを入力し、これを画像処理して、液晶ディスプレイ等に出力する画像信号処理装置に適している。
【図１】
2006106688.tif 000002
【図２】
2006106688.tif 000003
【図３】
2006106688.tif 000004
【図４】
2006106688.tif 000005
【図５】
2006106688.tif 000006
【図６】
2006106688.tif 000007
【図７】
2006106688.tif 000008
【図８】
2006106688.tif 000009
【図９】
2006106688.tif 000010
【図１０】
2006106688.tif 000011
【国際調査報告】
2006106688.tif 000012
2006106688.tif 000013